(57)【特許請求の範囲】
【請求項１】
窓枠と障子の引き違い面に平行な基板に、可動の円弧状のフリクションコアを挟んで、上記基板に保持され、フリクションコアの内周面に接合する凸の円弧状の外周面を有するフリクションガイドと、大体の形状が半円形で、フリクションコアの外周面に接合する凹の円弧状の内周面を有するフリクションアームとを対設し、このフリクションアームの一端を基板に植設されたアーム軸に回動可能に嵌合させると共に、他端を、基板にこれと水平な関係位置で固設されたねじ杆の自由端に遊貫させ、一方、このねじ杆の基端部に螺合するナットとフリクションアームの他端との間に圧縮コイルばねとしての付勢ばねを弾装し、以て、フリクションアームをフリクションコアを介してフリクションガイド方向に付勢し、他方、フリクションコアに取付板を固設し、取付板及び基板の一方を障子に、他方を窓枠に結合するようにしたことを特徴とする案内装置。
【請求項２】
窓枠と障子の引き違い面に平行な基板に、円弧状のフリクションコアを挟んで、フリクションコアの内周面に接合する凸の円弧状の外周面を有するフリクションガイドと、フリクションコアの外周面に接合する凹の円弧状の内周面を有するフリクションアームとを対設し、フリクションガイドをフリクションコアの内周面に沿って移動できるように案内すると共に、フリクションアームをフリクションコアに近接する方向に付勢し、一方、フリクションコアに取付板を固設し、取付板及び基板の一方を障子に、他方を窓枠に結合するようにし、他方、フリクションコアとフリクションガイドとの間に遊動機構付のクラッチを設け、フリクションコアの障子開放方向の終端附近においてフリクションコア及びフリクションガイドを一体的に連結するようにしたことを特徴とする案内装置。
【発明の詳細な説明】
【０００１】
【発明の属する技術分野】
この発明は、窓や天窓等の障子の案内装置（以下単に案内装置という）に係り、特に、障子の開度を任意に設定、保持できる新規な案内装置に関する。
【０００２】
【従来の技術】
窓や天窓の障子は、通常、蝶番やヒンジによって支持、案内されており、障子を開けたときその開度を安定に保つため、例えば一端を障子に回動自在に支承され、長さ方向に沿って多数の係止孔を開口させた保持杆を設け、その保持杆の係止孔を窓枠側に固設された係止ピンに嵌合させるようにして障子を窓枠に係止するのが一般的である。
【０００３】
【発明が解決しようとする課題】
しかしながら、上記したような障子の開度保持装置は、操作が煩雑である上開度の設定量が段階的であるという不都合がある。
【０００４】
そこで、この発明は、従来の開度保持装置の上記した不都合を解消し、障子を支持し案内する機能と、簡単な操作で障子の開度を任意に設定できる開度保持装置の機能とを併せて持つ新規な案内装置を提供することを目的としている。
【０００５】
【課題を解決するための手段】
上記の目的を達成するため、請求項１に記載の発明は、窓枠と障子の引き違い面に平行な基板に、可動の円弧状のフリクションコアを挟んで、上記基板に保持され、フリクションコアの内周面に接合する凸の円弧状の外周面を有するフリクションガイドと、大体の形状が半円形で、フリクションコアの外周面に接合する凹の円弧状の内周面を有するフリクションアームとを対設し、このフリクションアームの一端を基板に植設されたアーム軸に回動可能に嵌合させると共に、他端を、基板にこれと水平な関係位置で固設されたねじ杆の自由端に遊貫させ、一方、このねじ杆の基端部に螺合するナットとフリクションアームの他端との間に圧縮コイルばねとしての付勢ばねを弾装し、以て、フリクションアームをフリクションコアを介してフリクションガイド方向に付勢し、他方、フリクションコアに取付板を固設し、取付板及び基板の一方を障子に、他方を窓枠に結合するようにしたことを特徴とする。
【０００６】
また、請求項２に記載の発明は、窓枠と障子の引き違い面に平行な基板に、円弧状のフリクションコアを挟んで、フリクションコアの内周面に接合する凸の円弧状の外周面を有するフリクションガイドと、フリクションコアの外周面に接合する凹の円弧状の内周面を有するフリクションアームとを対設し、フリクションガイドをフリクションコアの内周面に沿って移動できるように案内すると共に、フリクションアームをフリクションコアに近接する方向に付勢し、一方、フリクションコアに取付板を固設し、取付板及び基板の一方を障子に、他方を窓枠に結合するようにし、他方、フリクションコアとフリクションガイドとの間に遊動機構付のクラッチを設け、フリクションコアの障子開放方向の終端附近においてフリクションコア及びフリクションガイドを一体的に連結するようにしたことを特徴とする。
【０００７】
【発明の実施の形態】
以下、この発明の実施例を図面を参照して説明する。なお、この実施例は、この発明を天窓の案内装置に適用した場合を示すものである。
【０００８】
請求項１に記載の発明の一実施例による案内装置を示す図１及び図２において、符号１は基板を示し、この基板１は、例えば厚板を断面Ｌ字形に折曲した部材で、図２において厚さを示す本体部１ａを天窓の窓枠と障子との引き違い面に平行にしてある。
【０００９】
この厚板１の図１における表面中央の上端には、下向きに凸の円弧状の外周面を有するフリクションガイド２が装着されている。
【００１０】
図示の実施例では、このフリクションガイド２は円の一部をなす形の厚板で、これを厚さ方向に貫通する付番しない一対の取付孔を基板１にかしめつけられた取付バー３に嵌合させることにより、取り外し可能に装着されている。
【００１１】
なお、この取付バー３には雌ねじが刻設されており、図示の実施例では５個の取付バー３、３を利用して、図５に示すように、蓋板４がねじ止めされるので、フリクションガイド２は基板１と蓋板４に挟着されるようにして安定に保持される。
【００１２】
フリクションガイド２の下方には、図１に示すように、フリクションガイド２との間に一定幅の円弧状の空間を挟んで、上向きに凹の内周面を有し大体の形状が半円形のフリクションアーム５が対設されている。
【００１３】
このフリクションアームの図１における右端は、基板の本体部１ａに垂直で取付バー３を兼ねるアーム軸６と回動可能に嵌合しており、この嵌合により、フリクションアーム５は引き違い面と平行な平面内において揺動可能に軸支されている。
【００１４】
一方、基板の本体部１ａの左端部は図１において手前側に切り起こされ、この切り起こし部１ｂにかしめつけられたねじ杆７の上端部は、フリクションアーム５の自由端、すなわち図１における左端を遊貫している。
【００１５】
そして、上記ねじ杆７の下端部に螺合するナット８とフリクションアーム５の自由端との間には圧縮コイルばねとしての付勢ばね９が弾装されており、この付勢ばね９の弾力により、フリクションアーム５はフリクションガイドに近接する方向に付勢されている。
【００１６】
ちなみに、上記ナット８を回すことによりナット８のねじ杆７に対する相対螺合位置を変化させ、付勢ばね９の弾力を調節することができる。
【００１７】
上記のように構成されたフリクションガイド２とフリクションアーム５の間には、図１における正面形状が扇形のフリクションコア１１が配設されている。
【００１８】
このフリクションコア１１は、図１から明らかなように、フリクションアーム５を介して付勢ばね９の弾力を受け、フリクションガイド２に弾圧されている。
【００１９】
なお、図示の実施例では、フリクションコア１１との接触面積を大きくするためフリクションアーム５の内周面は内側に凸の山形陵になっており、これに対応して、図３に示すように、フリクションコア１１のフリクションアーム５と接触する外周面はＶ字形の溝が形成されている。
【００２０】
また、上記したフリクションガイド２、フリクションアーム５及びフリクションコア１１の材質は、この発明による案内装置の負荷及び求められる作動の円滑性に応じて、鉄、真鍮、ステンレススチール等の金属材料、或いはナイロン、ジュラコンなどの合成樹脂材料を適宜選択する。
【００２１】
上記のように構成されたこの発明の案内装置の要部を覆うように、前記したように、また、図４及び図５に示すように、円弧の一部をなす連結孔１２を開口させた蓋板４がねじ止めされ、上記連結孔１２から覗けるフリクションコア１１の部分に取付板１３が装着、固定される。
【００２２】
図示の実施例では、図４及び図５に示すように、図５における上端をフリクションコア１１にかしめつけられ、連結孔１２を挿通して蓋板４外に突出するコア軸１４の図５における下端を、取付板１３にかしめつけて取付板１３をフリクションコア１１に固設する。
【００２３】
この場合、コア軸１４の長さを適切に設定して、取付板１３と蓋板４との間に少し隙間が形成されるようにすると良い。
【００２４】
そして、図６及び図７に示すように、基板１及び取付板１３の一方を天窓の窓枠に、他方を障子に夫々結合する。
【００２５】
図示の実施例では、基板１を木製の窓枠１５に、取付板１３をこれも木製の障子１６に夫々木ねじによってねじ止めされている。なお、このときこの案内装置を障子１６の両側に装着するものとする。
【００２６】
上記のように構成された案内装置は、図７に示す天窓の閉鎖時には、障子１６の負荷は図示しない係止装置を介して窓枠１５に担持される。同時に、取付板１３（図４参照）、フリクションコア１１（図１参照）、及びフリクションアーム５を介して、付勢ばね９にも担持される。
【００２７】
室内側から操作杆１７を握って下方に引くと、図８に示すように、操作杆１７によって制御される図示しない係止装置が障子１６を窓枠１５から解放するので、図８に示すように、障子１６は取付板１３の回動中心１８（図１参照）を回転中心として図８で時計方向に回動して天窓が開く。
【００２８】
換言すれば、取付板１３と一体のフリクションコア１１がフリクションガイド２とフリクションアーム５との間の円弧状の空間を図１で左方に移動し、図９に示すように、取付板１３はフリクションコア１１と一体に回動中心１８の周りを回転する。
【００２９】
このとき、障子１６の負荷はフリクションアーム５を介して付勢ばね９に担持されるが、通常付勢ばね９の弾力は障子１６の重量と比較して充分に大きくするので、フリクションアーム５が揺動することなく、フリクションコア１１は回動中心１８の周りを移動する。
【００３０】
また、フリクションコア１１はフリクションガイド２とフリクションアーム５とにより強い弾力で挟まれているので、これらとの間に大きな摩擦抵抗が生じ、障子から手を放してもフリクションコア１１は移動することなく、したがって障子の開度はそのまま安定に保たれる。
【００３１】
天窓を閉めるときには図８の状態から操作杆１７をその儘押上げればよく、このときにはフリクションコア１１は図１で右方に移動し、取付板１３は図９に示す回動中心１８の周りを反時計方向に回動して、案内装置は図４及び図７に示す閉鎖状態に復帰する。
【００３２】
一方、図１０及び図１１は請求項２に記載の発明の一実施例による案内装置を示し、この実施例は、フリクションコア１１の移動量、すなわち障子の最大開度を大きくしたものである。
【００３３】
この実施例においては、図１０に示すように、フリクションコア１１の円周方向の寸法、すなわち長さを長くしてフリクションコア１１とフリクションアーム５とで咥える寸法を大きくし、また、図１０においては図示を省略する蓋板４（図４及び図５参照）の連結孔の左端を切り開く（図示せず）。
【００３４】
更にまた、フリクションコア１１にこれを厚さ方向に貫通する外周面と同心の円弧状の案内孔１９を開口させ、この案内孔１９に基板１に植設した３本の案内ピン２１、２１を摺動可能に嵌合させる。
【００３５】
一方、フリクションガイド２の外周面に一定の角度範囲にわたって係合溝２２を形成し、これに対応してフリクションコア１１の内周面の所定の角度位置に係合ピン２３を突設する。
【００３６】
上記した構成により、フリクションガイド２はフリクションコア１１の内周面に沿って移動できるように案内されることになる。
【００３７】
それと共に、フリクションガイド２とフリクションコア１１とは、係合溝２２と係合ピン２３とによって構成される遊動機構付のクラッチ２４を介して相互に連結されることになる。
【００３８】
なお、図１０において符号２５は、フリクションコア１１との摺接を円滑にするためフリクションアーム５の内周面に貼着されたテープ状の真鍮板よりなるアームプレートを示し、図１０において図１と同符号を付した部分は図１と均等な部分を示す。
【００３９】
上記のように構成された請求項２に記載の発明の一実施例による案内装置は、長いフリクションコア１１に例えば３本のコア軸１４（図４及び図５参照）を介して図示しない取付板を結合して使用する。
【００４０】
この案内装置の作動は請求項１に記載の発明によるものとほぼ同様であるが、フリクションガイド２が固定されていないため、フリクションコア１１の回動の始めにおいてフリクションガイド２が動かずフリクションコア１１のみが動く場合と、始めからフリクションガイド２がフリクションコア１１に従動して円周方向に移動する場合とが考えられる。
【００４１】
何れに場合も、しかしながら、フリクションコア１１はフリクションガイド２と充分な接触長さを保ちながらフリクションアームの内周面に沿って安定して移動する。
【００４２】
フリクションコア１１のみが移動する場合には、フリクションコア１１の前記係合ピン２３がフリクションガイドの係合溝２２の左端と係合し、以後フリクションガイド２を引き連れながらフリクションコア１１が基板１と蓋板４との間から突出し、図１１に示すように、フリクションコア１１が最大に突出するに至り障子の開度は最大となる。
【００４３】
このときには、案内孔１９の右端と右端の案内ピン２１がストッパーとなる。
【００４４】
一方、フリクションガイド２が最初からフリクションコア１１と連動する場合には、比較的早期にフリクションガイド２が図１１の角度位置に至り、以後フリクションコア１１のみが移動して、図１１に示す最大突出位置をとる。
【００４５】
このときには、係合溝２２の左端と係合ピン２３とがストッパーとなる。
【００４６】
何れの場合でも、図１１に示すフリクションコア１１の最大突出位置において、フリクションガイドも基板１から振り出されるので、フリクションガイドとフリクションコアとが必要にして充分な長さにわたって接触しており、この状態でも障子は安定して窓枠に担持される。
【００４７】
【発明の効果】
以上の説明から明らかなように、請求項１に記載の発明は、フリクションコアを、フリクションガイドとフリクションアームとの間の円弧状の空間をこれらに挟まれた状態で案内するので、フリクションコアに固設された取付板に装着された障子を仮想の回動中心の周りを回動自在に支承できると共に、障子を摩擦力により任意の開放角度位置に停止させることができる、という効果を奏する。
【００４８】
また、障子の停止及び再開閉操作の為の切替え操作を必要とせず、単に障子を押し引きすればよいので、使い勝手が良く操作が簡単である。
【００４９】
更にまた、請求項２に記載の発明は、フリクションガイドを遊動機構付のクラッチを介してフリクションコアと連動可能に連結させたので、障子の開度が大きい場合でも、フリクションコアを咥えるフリクションガイド及びフリクションアームのフリクションコアとの接触長さを充分大きくすることができるという効果を奏する。
【図面の簡単な説明】
【図１】請求項１に記載の発明による案内装置の、蓋板を取り外して示す要部正面図。
【図２】その平面図。
【図３】フリクションコアの横断面図。
【図４】請求項１に記載の発明による案内装置の正面図で、障子が閉っている状態を示す。
【図５】その平面図。
【図６】図４のＶＩ−ＶＩ線から見たその側面図。
【図７】請求項１に記載の案内装置を装着した天窓の断面図で、障子閉鎖時を示す。
【図８】請求項１に記載の案内装置を装着した天窓の断面図で、障子が開いている状態を示す。
【図９】図４と同様の案内装置の正面図で、障子が開放されている状態を示す。
【図１０】請求項２に記載の発明による案内装置の、蓋板を取り外して示す一部断面要部正面図で、障子閉鎖時を示す。
【図１１】図１０と同様の、案内装置の蓋板を取り外して示す一部断面要部正面図で、障子開放時を示す。
【符号の説明】
１  基板
２  フリクションガイド
４  蓋板
５  フリクションアーム
６  アーム軸
７  ねじ杆
８  ナット
９  付勢ばね
１１  フリクションコア
１３  取付板
２４  クラッチ
【図１】
0004218910.tif 000002
【図２】
0004218910.tif 000003
【図３】
0004218910.tif 000004
【図４】
0004218910.tif 000005
【図５】
0004218910.tif 000006
【図６】
0004218910.tif 000007
【図７】
0004218910.tif 000008
【図８】
0004218910.tif 000009
【図９】
0004218910.tif 000010
【図１０】
0004218910.tif 000011
【図１１】
0004218910.tif 000012